(57)【要約】【課題】整えられたスケジュール情報を利用して、高機能携帯電話端末などの機器において、多種多様な機能を自動的、かつ、総合的に制御する。【解決手段】制御情報設定部１１３は、変化項目判別部１１２と協働し、ユーザーの総合的なスケジュールを構成する項目ごとの時間（Time）、場所（Place）、場合（Occasion）を判別する。これに基づき、制御情報設定部１１３が、当該項目ごとに動作モードと、動作に関する設定内容と、動作させるアプリケーションソフトウェアとの１つ以上を含む動作に関する制御を行うための制御情報を設定する。当該制御情報に基づき、スケジュール連動制御部１１５が、総合的な制御を行う。【選択図】図１
2014175682.tif 000002
【特許請求の範囲】
【請求項１】
日々の生活パターンと随時に発生するイベントとを合わせたユーザーの総合的なスケジュールを構成する項目ごとの時間、場所、場合を判別する判別手段と、
前記項目ごとに判別された前記時間、場所、場合に基づいて、前記項目ごとに動作モードと、動作に関する設定内容と、動作させるアプリケーションソフトウェアとの１つ以上を含む動作に関する制御の内容を設定する設定手段と、
前記項目の開始時刻が到来した場合に、設定された制御の内容に応じた制御を行うスケジュール連動制御手段と
を備えることを特徴とする携帯通信端末。
【請求項２】
請求項１に記載の携帯通信端末であって、
前記設定手段は、入力されたユーザーの個人属性をも考慮して、動作に関する制御の内容を設定することを特徴とする携帯通信端末。
【請求項３】
請求項１または請求項２のいずれかに記載の携帯通信端末であって、
前記制御手段は、前記項目ごとに開始時刻が到来した場合に、その時点の時間と場所との一方あるいは両方を考慮して、制御の内容が変更できることを特徴とする携帯通信端末。
【請求項４】
請求項１、請求項２または請求項３のいずれかに記載の携帯通信端末であって、
前記制御手段は、前記項目ごとに開始時刻が到来した場合に、その時点の動作状態を考慮して、制御の内容を変更できることを特徴とする携帯通信端末。
【請求項５】
請求項１、請求項２、請求項３または請求項４のいずれかに記載の携帯通信端末であって、
前記判別手段と設定手段とは、ユーザーの前記総合的なスケジュールに追加、変更の一方あるいは両方が生じた場合に、当該追加、変更が生じた内容について機能することを特徴とする携帯通信端末。
【請求項６】
ユーザーのスケジュールを管理可能な携帯通信端末において用いられるスケジュールに連動した携帯通信端末の動作制御方法であって、
判別手段が、日々の生活パターンと随時に発生するイベントとを合わせたユーザーの総合的なスケジュールを構成する項目ごとに時間、場所、場合を判別する判別工程と、
設定手段が、前記項目ごとに判別した前記時間、場所、場合に基づいて、前記項目ごとに動作モードと、動作に関する設定内容と、動作させるアプリケーションソフトウェアとの１つ以上を含む動作に関する制御の内容を設定する設定工程と、
制御手段が、前記項目ごとに開始時刻が到来した場合に、設定された制御の内容に応じた制御を行う制御工程と
を有することを特徴とする携帯通信端末の動作制御方法。
【発明の詳細な説明】
【技術分野】
【０００１】
この発明は、例えば、スマートフォンなどと呼ばれる高機能携帯電話端末など、ユーザーのスケジュール管理に利用可能な種々の携帯通信端末および当該携帯通信端末で用いられる動作制御方法に関する。
【背景技術】
【０００２】
携帯電話端末が普及するに伴って、携帯電話端末を単に通信機器として利用するだけでなく、ユーザーにとってより利便性の高い携帯情報機器とすべく種々の改良がなされている。例えば、後に記す特許文献１には、生活パターンに基づいて、携帯電話端末に対して適切なアラーム設定を行うようにする発明が開示されている。また、後に記す特許文献２には、時刻と場所によってスケジュールを管理し、予定時刻が到来したにもかかわらず、当該予定時刻に対応する予定場所に到達していない場合に報知する携帯端末装置に関する発明が開示されている。
【０００３】
また、特許文献３には、カメラ付き携帯端末装置において、撮影スケジュールを登録しておき、当該撮影スケジュールに従って適切に撮影を行い、撮影データを所定の相手先に送信することにより、簡易の監視カメラシステムを実現する発明が開示されている。また、後に記す特許文献４〜特許文献６には、スケジュールに応じて、適切に動作モードを切り替える端末に関する発明が開示されている。
【先行技術文献】
【特許文献】
【０００４】
【特許文献１】特開２００９−２６０５０１号公報
【特許文献２】特開２００５−１０９９５８号公報
【特許文献３】特開２００４−３２８６０１号公報
【特許文献４】特開２０１０−２８８０７２号公報
【特許文献５】特開２００２−０９４６１４号公報
【特許文献６】特開２００１−２５１３９５号公報
【発明の概要】
【発明が解決しようとする課題】
【０００５】
近年、スケジュール管理がクラウド化され、個人のスケジュール情報をインターネット上のサーバー装置で管理し、アクセス権を持つ複数のユーザーが共有できるようになっている。クラウド化されたスケジュール情報に対しては、ＰＣ（パーソナルコンピュータ）やスマートフォンなどと呼ばれる高機能携帯電話端末を用いてアクセスし、追加、変更、削除ができる。このように、より正確なスケジュール情報を整えて、これをいつでもどこでも利用できるようになってきている。
【０００６】
そこで、高機能携帯電話端末等において、より正確なスケジュール情報を利用し、上述した特許文献１〜特許文献６に記載の発明のように、アラーム音を制御したり、動作モードを制御したり、また、起動アプリケーションを制御したりすることが考えられる。しかし、上述した特許文献１〜特許文献６に記載の発明からは、アラーム音や動作モードや起動アプリケーションのそれぞれを独立して制御することが考えられるだけである。また、上述した特許文献１〜特許文献６に記載の発明の場合、事前の情報設定が必要になるなどユーザーの手を煩わせる場合があり、気軽に利用できない場合があると考えられる。
【０００７】
以上のことに鑑み、高機能携帯電話端末などの携帯通信端末において、整えられたスケジュール情報を利用して、ユーザーの手を煩わせることなく、多種多様な機能などを総合的に制御できるようにすることを目的とする。
【課題を解決するための手段】
【０００８】
上記課題を解決するため、請求項１に記載の発明の携帯通信端末は、
日々の生活パターンと随時に発生するイベントとを合わせたユーザーの総合的なスケジュールを構成する項目ごとの時間、場所、場合を判別する判別手段と、
前記項目ごとに判別された前記時間、場所、場合に基づいて、前記項目ごとに動作モードと、動作に関する設定内容と、動作させるアプリケーションソフトウェアとの１つ以上を含む動作に関する制御の内容を設定する設定手段と、
前記項目の開始時刻が到来した場合に、設定された制御の内容に応じた制御を行うスケジュール連動制御手段と
を備えることを特徴とする。
【０００９】
この請求項１に記載の発明の携帯通信端末によれば、判別手段により、ユーザーの総合的なスケジュールを構成する項目ごとの時間（Time）、場所（Place）、場合（Occasion）を判別する。判別された項目ごとの時間、場所、場合に基づいて、設定手段により、項目ごとに動作モードと、動作に関する設定内容と、動作させるアプリケーションソフトウェアとの１つ以上を含む動作に関する制御の内容を設定する。そして、スケジュール連動制御手段が、スケジュールを構成する各項目の開始時刻が到来した場合に、設定された制御の内容に応じた制御を行う。
【００１０】
これにより、携帯通信端末において、ユーザーの手を煩わせることなく、かつ、携帯通信端末の処理負荷を大きくすることなく、整えられたスケジュール情報を利用して、携帯通信端末の多種多様な機能などを総合的に制御できる。すなわち、スケジュール情報を効果的に利用し、ユーザーのスケジュールに応じて携帯通信端末を総合的に制御できる。
【発明の効果】
【００１１】
この発明によれば、携帯通信端末において、整えられたスケジュール情報を利用して、ユーザーの手を煩わせることなく、多種多様な機能などを総合的に制御できる。
【図面の簡単な説明】
【００１２】
【図１】実施の形態の携帯通信端末の構成例について説明するための図である。
【図２】サーバー装置３でのスケジュール情報の管理の一例について説明するための図である。
【図３】高機能携帯電話端末１の制御情報記憶部１１４に設定される制御情報の例を説明するための図である。
【図４】高機能携帯電話端末１で実行される制御情報の設定処理を説明するためのフローチャートである。
【図５】図４のフローチャートのステップＳ１０７で表示される設定情報の確認画面の一例を説明するための図である。
【図６】高機能携帯電話端末１で実行されるスケジュール連動制御処理を説明するためのフローチャートである。
【発明を実施するための形態】
【００１３】
以下、図を参照しながら、この発明の装置、方法の一実施の形態について説明する。この発明の携帯通信端末は、スマートフォンと呼ばれる高機能携帯電話端末やタブレットＰＣなどに適用可能なものである。しかし、以下に説明する実施の形態では、近年、広く普及してきているスマートフォンなどと呼ばれる高機能携帯電話端末に、この発明の携帯通信端末を適用した場合を例にして説明する。
【００１４】
また、この発明の携帯通信端末は、ユーザーのスケジュール情報を利用するものである。スケジュール情報は、携帯通信端末でのみ管理することもできる。しかし、スケジュール情報をクラウド化し、複数の人で共有することによって、他の人の空き時間を考慮して、当該他の人をも参加者とするミーティングを設定するなどのことができる。そこで、以下に説明する実施の形態においても、高機能携帯電話端末のユーザーのスケジュール情報は、ネットワーク上のサーバー装置で管理する場合を例にして説明する。
【００１５】
［携帯通信端末の構成例］
図１は、この実施の形態の携帯通信端末について説明するための図である。図１において、高機能携帯電話端末１は、この発明の携帯通信端末の一実施の形態が適用されたものであり、ネットワーク２を通じてスケジュール管理サーバー装置３を利用できる。また、高機能携帯電話端末１は、種々のアプリケーションソフトウェアにより、様々な機能を備える。例えば、音楽再生機能、動画再生機能、地図検索機能、カメラ機能などは、その代表的なものである。
【００１６】
また、高機能携帯電話端末１は、従来の携帯電話端末と同様に、種々の動作モードを備えている。例えば、マナーモードやサイレントモードなどと呼ばれる着信時に着信音を放音しないモードや、機内モードや航空機モードなどと呼ばれる通信機能をオフにし、通信を伴わない音楽再生機能などの機能は利用できるようにするモードなどがある。また、通常モードとして、着信時に着信音とバイブレーション（振動）により通知するモードも備える。
【００１７】
ネットワーク２は、主にインターネットであるが、高機能携帯電話端末などのユーザー端末装置からインターネットまでを接続する、例えば、携帯電話網や種々のＬＡＮ（Local Area Network）などを含む。スケジュール管理サーバー装置（以下、単にサーバー装置という。）３は、多数のユーザーのスケジュール情報を管理するものであり、各ユーザーのスケジュール情報を、予め登録された複数のユーザーによって共有可能にしている。
【００１８】
図２は、この実施の形態のサーバー装置３でのスケジュール情報の管理の一例について説明するための図である。サーバー装置３は、各ユーザーに固有のユーザーＩＤを用い、各ユーザーのそれぞれのスケジュール情報をユーザーごとに管理する。各ユーザーのスケジュール情報は、図２に示すように、休日休暇に関する情報、平日の生活パターンに関する情報、休日の生活パターンに関する情報、随時あるいは定期的に発生するイベントに関する情報を管理する。
【００１９】
休日休暇に関する情報では、基本的な休日（基本休日）はいつか、決まっている長期休暇はいつか、決まっている有給休暇はいつか、決まっている特別休暇（会社等により独自に認められている例えば育児休暇など）はいつかを管理する。平日の生活パターンに関する情報では、平日（休日以外の日）の起床、朝食、出勤、会社、昼食、帰宅、夕食、就寝などのように、平日はどの様なパターンで生活しているのかを示す情報を管理する。
【００２０】
なお、出勤や帰宅に関する情報では、用いる移動手段に応じたパターンを管理できるようになっている。従って、図２に示したように、出勤は、午前７時に徒歩で家を出て午前７時１５分に駅に着き、午前７時２０分から午前８時１５分まで電車で移動し、午前８時１５分に目的駅に着いて、徒歩で移動し、午前８時３５分に会社に到着するというパターンが管理できる。帰宅についても、同様に移動手段ごとにパターンを管理できる。なお、移動手段には、徒歩、電車の他に、自転車、バイク、自動車、バス、飛行機、船舶などの種々のものがある。
【００２１】
休日の生活パターンに関する情報では、休日の起床、朝食、散歩、昼食、夕食、団らん、就寝などのように、休日はどの様なパターンで生活しているのかを示す情報を管理する。そして、随時あるいは定期的に発生するイベントに関する情報では、出張、会議、家族旅行などのレジャーなどに関するスケジュールを細かく管理できる。図２では、福岡出張、企画会議、家族旅行のスケジュールを管理している場合を示している。
【００２２】
なお、図２に示したスケジュール情報の管理の例はあくまでも一例である。スケジュール情報を構成する項目（単体のスケジュール）について、時間（Time）、場所（Place）、場合（Occasion）を管理できる。具体的に、時間（Time）に関する情報としては、年月日、曜日、時刻を管理でき、場所（Place）に関する情報としては、自宅、勤務先、訪問先、出張先、経由地などの種々の情報を管理できる。また、場合（Occasion）に関する情報としては、通勤、通学、仕事、会議、レジャー、団らん、睡眠、娯楽などの種々の情報を管理できる。
【００２３】
このように、サーバー装置３では、日々の生活パターンと随時に発生するイベントとを合わせたユーザーの総合的なスケジュールを管理する。また、サーバー装置３では、スケジュール情報が登録されたユーザーごとにアクセス権を持つ他のユーザーを管理し、各ユーザーのスケジュール情報に対してはアクセス権を持つユーザーだけがアクセスできるようにしている。
【００２４】
次に、高機能携帯電話端末１の構成例について説明する。図１に示す高機能携帯電話端末１において、無線通信部１０１は、ネットワーク２を通じて受信した信号を自機が処理可能なデータに変換して取り込んだり、送信用の種々のデータをプロトコルに準拠した信号に変換してネットワーク２に送出したりする。当該無線通信部１０１には、送受信アンテナ１０１Ａが接続されている。
【００２５】
制御部１０２は、高機能携帯電話端末１の各部を制御するものであり、図示しないが、ＣＰＵ（Central Processing Unit）、ＲＯＭ（Read Only Memory）、ＲＡＭ（Random Access Memory）がＣＰＵバスを通じて接続されて構成されたコンピュータ装置である。また、制御部１０２は、種々のアプリケーション（以下、アプリと略称する。）を実行するアプリ実行部としても機能する。記憶装置１０３は、記録媒体として不揮発性メモリを備え、種々のアプリケーションプログラムや種々の処理により得られたデータ等の不揮発性メモリへの書込み／記録保持／読み出し／削除を行う。また、記憶装置１０３では、個人属性、動作履歴などの情報も記憶保持する。
【００２６】
なお、個人属性は、年齢、性別、職業、住所、勤務先、通学先、趣味、好きな音楽、好きな映画、好きな本、好きなアーティスト、好きな映画監督、好きな作家、食の好みなど、ユーザー個人に関する種々の情報を含む。また、動作履歴は、どのアプリがいつどれだけ実行されたか、どの機能がいつ用いられたかなど、高機能携帯電話端末１の動作に関する過去の種々の履歴情報を含む。従って、動作履歴により、頻繁に利用されているアプリや機能は何かを知ることができる。この動作履歴は、制御部１０２の機能により、例えば、ログデータの一部として記憶装置１０３に記録される。
【００２７】
操作部１０４は、高機能携帯電話端末１に設けられたハードウェアキーからなり、ユーザーからの操作入力を受け付けて、受け付けた情報を制御部１０２に供給する。なお、操作部１０４に設けられたハードウェアキーは例えば電源のオン／オフキーや基本機能を実行するための幾つかのファンクションキー等である。時間制御部１０５は、現在年月日、現在曜日、現在時刻を管理する。
【００２８】
センサ部１０６は、加速度センサや方位センサ（地磁気センサ）や高度センサ（気圧センサ）を備える。これらのセンサにより、高機能携帯電話端末１の姿勢や向きを特定し、いわゆるナビゲーション機能等を適切に提供できるようにしている。ＧＰＳ部１０７およびＧＰＳアンテナ１０７Ａは、自機の現在位置を測位するものである。
【００２９】
表示部１０８は、種々の画像データや映像データの供給を受けて、これを映像信号に変換し、当該映像信号に応じた画像や映像を自己の表示画面に表示する。また、表示部１０８の表示画面に貼付されたタッチパネル１０９は、表示画面に表示される情報と共に、いわゆるソフトウェアキーを構成する。したがって、制御部１０２は、タッチパネル１０９からのユーザーの指示位置を示す情報と当該指示位置に対応する表示部１０８の表示画面上に表示された情報とに基づいて、ユーザーからの指示入力が認識できるようになっている。
【００３０】
音声出力部１１０は、これに供給される種々の音声データをアナログ音声信号に変換し、これをスピーカ１１１に供給する。これにより、音声出力部１１０に供給された音声データに応じた音声がスピーカ１１１から放音される。これら音声出力部１１０およびスピーカ１１１は、ＴＴＳ（Text To Speech）機能を実現する場合などに用いられる。
【００３１】
そして、高機能携帯電話端末１のユーザーは、高機能携帯電話端末１においてスケジュールアプリを実行することにより、無線通信部１０１及び送受信アンテナ１０１Ａを通じて、ネットワーク２上のサーバー装置３にアクセスできる。そして、高機能携帯電話端末１のユーザーは、高機能携帯電話端末１を通じてサーバー装置３で管理されている自己のスケジュール情報を参照したり、保守（追加、変更、削除）したりできる。
【００３２】
この場合、サーバー装置３から提供される入力画面を通じて、休日休暇に関する情報、平日の生活パターンに関する情報、休日の生活パターンに関する情報、随時あるいは定期的に発生するイベントに関する情報のいずれかを選択する。そして、目的に応じた情報の入力画面の提供を受けて、スケジュール情報を参照したり、スケジュール情報の追加、変更、削除をしたりできるようになっている。
【００３３】
また、上述もしたように、サーバー装置３は、ユーザーごとにアクセス権を持つ他のユーザーを管理している。このため、当該他のユーザーは、高機能携帯電話端末やパーソナルコンピュータを通じてサーバー装置３の自己がアクセス権を持つユーザーのスケジュール情報にアクセスして、当該スケジュール情報の保守（追加、変更、削除）が行える。
【００３４】
なお、サーバー装置３は、各ユーザーのスケジュール情報ごとに、いつ、誰によって、スケジュール情報のどの項目がどのように保守されたのかを管理している。すなわち、保守に関するログ情報を管理している。そして、他のユーザーによって、スケジュール情報の保守が行われた場合には、当該スケジュール情報の主体となるユーザーが、自己のスケジュールを参照したときに、その内容が判別可能にされる。
【００３５】
例えば、他のユーザーによって追加あるいは変更されたスケジュール情報の項目は、反転表示や赤色文字での表示、あるいは、他の項目よりも輝度を上げて表示するブライト表示などによりユーザーに示される。また、削除されたスケジュール情報の項目は、削除されたスケジュール情報として、例えば、欄外に表示されるなどの態様により通知される。また、他のユーザーによって、スケジュール情報が保守された場合、サーバー装置３は、これを当該スケジュール情報の主体となるユーザーの高機能携帯電話端末１に対して電子メールなどにより通知もできる。
【００３６】
そして、変化項目判別部１１２は、スケジュールアプリが実行されて、自機のユーザーのスケジュール情報の保守が行われた場合やスケジュール情報の参照時に既に他のユーザーによってスケジュール情報の保守が行われていた場合に機能する。高機能携帯電話端末１においては、サーバー装置３のアクセス時における認証処理において、高機能携帯電話端末１のユーザーが自分のスケジュール情報の参照、保守を行うのか、他人のスケジュール情報の参照、保守を行うのかの判別ができるようになっている。
【００３７】
そして、変化項目判別部１１２は、自機のユーザーのスケジュール情報について、追加、変更、削除された項目（スケジュール）を判別（特定）する。すなわち、変化項目判別部１１２は、自機のユーザーのスケジュール情報を構成する項目に変化が生じた場合に、どの項目が変化したのかを判別する機能を実現する。
【００３８】
制御情報設定部１１３は、変化項目判別部１１２により、自機のユーザーのスケジュール情報に追加、変更、削除された項目があることが判別された場合に機能する。制御情報設定部１１３は、追加、変更、削除された項目の内容（時間（Time）、場所（Place）、場合（Occasion））に基づいて、高機能携帯電話端末１を総合的に制御するための制御の内容を特定する。そして、制御情報設定部１１３は、特定した制御の内容に応じた制御情報を形成し、これを制御情報記憶部１１４に設定する。
【００３９】
制御情報記憶部１１４は、制御情報設定部１１３により形成された制御情報を記憶保持する。図３は、図２に示したスケジュール情報に応じて形成され、高機能携帯電話端末１の制御情報記憶部１１４に設定される（記憶保持される）制御情報の例を説明するための図である。制御情報記憶部１１４に設定される制御情報は、ユーザーのスケジュール情報を構成する項目の内容に基づいて形成されるものであり、サイクル／年月日、開始時刻、場所、場合、制御内容からなっている。
【００４０】
サイクル／年月日及び開始時刻、場所、場合のそれぞれは、ユーザーのスケジュール情報における時間（Time）、場所（Place）、場合（Occasion）に相当する。そして、制御内容は、「動作モード」、「設定」、「アプリ」、「その他」からなる。「動作モード」は、通常モード、マナーモード、おやすみモード、機内モードといった高機能携帯電話端末１で用いられる種々の動作モードを意味する。なお、動作モードは、高機能携帯電話端末１のメーカーや機種などによって、名称や動作内容の詳細は異なっており、この明細書ではその一例を用いている。
【００４１】
また、「設定」は、着信音やアラーム音などの音量、画面の明るさ、着信音やアラーム音の種類（音の種類や鳴動パターン）、バイブレーションの種類（振動パターン）などのユーザーによって変更可能な種々の動作に関する設定内容を意味する。また、「アプリ」は、高機能携帯電話端末１において実行可能なアプリケーションソフトウェアを意味する。そして、「その他」は、例えば、アラーム音のオン／オフやバイブレーションのオン／オフなど、アラームやバイブレーションの利用が可能な動作モード時にオン／オフされる機能など、「動作モード」、「設定」、「アプリ」以外に制御すべき種々の対象を意味する。
【００４２】
図３に示した制御情報の内容について、図３の上段側から順に説明する。まず、最上段の制御情報は、月曜日から金曜日までの毎朝６時２０分が自宅での起床時間である場合の制御情報である。この制御情報は、月曜日から金曜日までの毎朝６時２０分に、動作モードを「通常モード」にし、設定は着信音などの音量を「大」とし、アプリは「天気アプリ」を起動させ、これが終了したら「交通情報アプリ」を起動させることを指示するものである。「交通情報アプリ」は、電車の遅延情報などを取得して提供するものである。さらに、当該制御情報は、月曜日から金曜日までの毎朝６時２０分にはアラームを鳴らすことを指示するものである。なお、この実施の形態において、「通常モード」は、電話や電子メールの着信を着信音とバイブレーションとにより通知するモードである。
【００４３】
次の制御情報は、月曜日から金曜日までの毎朝７時２０分から電車に乗って通勤する場合の制御情報である。この制御情報は、月曜日から金曜日までの毎朝７時２０分に、動作モードを「マナーモード」にし、設定は特に変更することなく、アプリは「音楽アプリ」を起動させ、音楽の聴取を可能にすることを指示するものである。なお、この実施の形態において、「マナーモード」は、電話や電子メールの着信を着信音によっては通知せず、バイブレーションによってのみ通知するモードである。
【００４４】
次の制御情報は、月曜日から金曜日までの昼の１２時から会社等で昼食（昼休み）となる場合の制御情報である。この制御情報は、月曜日から金曜日までの昼の１２時に、動作モードを「通常モード」にし、設定は着信音などの音量を「小」とし、例えば、ツイッター（登録商標）などのＳＮＳ（Social Networking Service）用アプリを起動させることを指示するものである。
【００４５】
次の制御情報は、月曜日から金曜日までの毎夕１９時３５分から電車に乗って帰宅する場合の制御情報である。この制御情報は、月曜日から金曜日までの毎夕１９時３５分に、動作モードを「マナーモード」にし、設定は特に変更することなく、アプリは「音楽アプリ」を起動し、音楽の聴取を可能にすることを指示するものである。
【００４６】
次の制御情報は、月曜日から金曜日までの毎夕２１時から自宅で夕食を取る場合の制御情報である。この制御情報は、月曜日から金曜日までの毎夕２１時に、動作モードを「通常モード」にし、設定は画面の明るさを「低」にし、アプリは「電子メールアプリ」を起動して、受信メールの確認を可能にすることを指示するものである。
【００４７】
次の制御情報は、月曜日から金曜日までの２４時に自宅で就寝する場合の制御情報である。この制御情報は、月曜日から金曜日までの２４時に、動作モードを「おやすみモード」にすることを指示する。なお、「おやすみモード」は、例えば、予め設定された相手先からの電話の着信については着信音とバイブレーションとによって通知するが、それ以外の電話の着信や電子メールの着信は、音声でもバイブレーションでも通知しないモードである。
【００４８】
次の制御情報は、土曜日と日曜日（週末）の１０時に自宅から散歩に出かける場合の制御情報である。この制御情報は、土曜日と日曜日までの１０時に、動作モードを「通常モード」にし、設定は着信音などの音量を「中」にし、アプリは「音楽アプリ」を起動させ、音楽の聴取を可能にすることを指示する。次の制御情報は、２０１３年２月１２日の９時０５分から飛行機で出張に出かける場合の制御情報である。この制御情報は、２０１３年２月１２日の９時０５分に、動作モードを「機内モード」にすることを指示するものである。
【００４９】
なお、この実施の形態において、飛行機に搭乗する場合のスケジュール情報に対応した開始時刻は、飛行機の出発時刻の例えば３０分前の時刻となるようにしている。また、この実施の形態において、「機内モード」は、通信機能を全てオフにし、情報の送受信は行えないようにするが、情報の送受信を伴わない例えば音楽アプリなどは実行可能なモードである。
【００５０】
また、次の制御情報は、２０１３年２月１５日の１４時５０分から飛行機で出張先から帰る場合の制御情報である。この制御情報は、２０１３年２月１５日の１４時５０分に、動作モードを「機内モード」にすることを指示するものである。また、次の制御情報は、２０１２年２月２３日の７時３０分に自宅から箱根に自動車で旅行に出かける場合の制御情報である。この制御情報は、２０１２年２月２３日の７時３０分に、動作モードを「通常モード」にし、設定は「音量大」とし、アプリは「渋滞情報アプリ」を立ち上げ、これが終了したら「天気アプリ」を立ち上げて、箱根を含む地域の天気予報を出力することを指示するものである。
【００５１】
制御情報記憶部１１４では、図３を用いて説明したように、制御情報設定部１１３により設定される種々の制御情報を記憶保持する機能を実現する。そして、スケジュール連動制御部１１５は、制御情報記憶部１１４に記憶保持されている制御情報に従って、高機能携帯電話端末１を総合的に制御する。すなわち、高機能携帯電話端末１の動作モード、種々の設定、起動アプリ、その他の高機能携帯電話端末１における種々の動作を総合的に制御する。
【００５２】
このように、高機能携帯電話端末１においては、変化項目判別部１１２と制御情報設定部１１３により、スケジュール情報の変化が生じた項目の内容（時間（Time）、場所（Place）、場合（Occasion））に基づいて、いつ、どのように制御するかが決められる。このようにして決められる制御の内容に応じて、図３を用いて説明したような制御情報が形成され、制御情報記憶部１１４に設定される。
【００５３】
そして、スケジュール連動制御部１１５が、制御情報記憶部１１４に設定された制御情報に基づいて、高機能携帯電話端末１を総合的に制御する。これにより、高機能携帯電話端末１において、ユーザーの手を煩わせることなく、かつ、高機能携帯電話端末１の処理負荷を大きくすることなく、ユーザーの整えられたスケジュール情報を利用して、高機能携帯電話端末１の多種多様な機能を総合的に制御できる。
【００５４】
なお、高機能携帯電話端末１は、無線通信部１０１及び送受信アンテナ１０１Ａを通じて通話を行うための通話処理部、送話器、受話器や、無線ＬＡＮ機能を実現する無線ＬＡＮ部などをも備える。しかし、これらについては説明を簡単にするため、図１においては省略している。
【００５５】
また、図３に示した制御情報の例では、起床時には、「天気アプリ」と「交通情報アプリ」とを起動させるようにしたが、これに限るものではない。通勤の交通手段が「自動車」であれば「渋滞情報アプリ」を起動させ、交通情報を取得して提供することもできる。また、「天気アプリ」、「交通情報アプリ」、「渋滞情報アプリ」などは、ユーザーの住所や勤務先、あるいは、出かける先（目的地）に応じて、自動的に該当エリアに関する情報を取得して提供するように制御できる。
【００５６】
また、図３に示した制御情報の例では、通勤時や帰宅時に電車を利用する場合に「音楽アプリ」を起動するものとしたが、これに限るものではない。例えば、ユーザーの趣味が映画鑑賞であれば、「動画アプリ」を起動して、映画コンテンツを再生することもできる。また、ユーザーがよく「ニュース配信アプリ」を利用している履歴がある場合には、自動的に「ニュース配信アプリ」を起動させることもできる。
【００５７】
また、図３に示した例のように、自動車で旅行に行く場合には、行き先に応じた交通情報や天気情報を取得するために、「渋滞情報アプリ」や「天気アプリ」を起動できる。その他にも、「ナビゲーションアプリ」を起動して、道案内を行うようにしたり、「イベント情報収集アプリ」を起動して、行き先に応じたイベント情報を取得して、出力したりできる。
【００５８】
また、会議、団らん時には、「マナーモード」にしたり、休憩時には「機内モード」にして、通信を行わないようにしたりするなどのことも可能である。すなわち、制御情報設定部１１３は、スケジュール情報を構成する個々の項目の少なくとも、時間、場所、場合に応じて、制御の内容を特定し、これに応じた制御情報を設定できる。
【００５９】
さらに、制御情報設定部１１３は、ユーザーの個人属性や高機能携帯電話端末１の使用状況（動作履歴）をも考慮することにより、よりユーザーに応じた制御の内容を特定し、これに応じた制御情報を形成できる。このように高機能携帯電話端末１では、ユーザーが自分自身で制御の内容を入力しなくても、自動的に制御の内容が特定され、これに応じた制御情報が自動的に形成されて設定される。
【００６０】
［高機能携帯電話端末１の制御情報設定処理］
次に、この実施の形態の高機能携帯電話端末１で行われる、ユーザーのスケジュールに応じた高機能携帯電話端末１の総合的な制御を行うための制御情報の設定処理について具体的に説明する。図４は、高機能携帯電話端末１で実行される制御情報の設定処理を説明するためのフローチャートである。この図４に示すフローチャートの処理は、高機能携帯電話端末１の制御部１０２において実行される。図４に示す処理は、スケジュールアプリが実行され、自機のユーザーのスケジュール情報の保守が行われた後、また、自機のユーザーのスケジュール情報が参照され、他のユーザーによってスケジュール情報の保守が行われた項目が存在する場合に実行される。
【００６１】
図４に示す処理が実行されると、まず、制御部１０２は、無線通信部１０１及び送受信アンテナ１０１Ａを通じてサーバー装置３にアクセスする。そして、制御部１０２は、変化項目判別部１１２を制御し、サーバー装置３で管理されている例えば保守に関するログ情報に基づき、自機のユーザーのスケジュール情報について、追加、変更、削除の対象となった項目を判別する（ステップＳ１０１）。そして、制御部１０２は、変化項目判別部１１２で判別された項目は、削除された項目だけか否かを判別する（ステップＳ１０２）。
【００６２】
ステップＳ１０２の判別処理で、判別された項目は削除された項目だけではないと判別したとする。この場合、制御部１０２は、制御情報設定部１１３を制御し、スケジュール情報の追加された、あるいは、変更された項目の時間（Time）、場所（Place）、場合（Occasion）を特定する（ステップＳ１０３）。そして、制御情報設定部１１３は、記憶装置１０３から、予め設定されている当該高機能携帯電話端末１のユーザーの個人属性を取得する（ステップＳ１０４）。ここで、ユーザーの個人属性は、性別、年齢、趣味、好みの音楽、作家、映画監督、住所、勤務地などユーザー個人に関する種々の情報を含む。
【００６３】
この後、制御情報設定部１１３は、特定した項目ごとのＴＰＯと取得したユーザーの個人属性に基づいて、スケジュール情報の追加された、あるいは、変更された項目に対応する制御の内容を特定し、これに応じた制御情報を形成する（ステップＳ１０５）。なお、個々では、省略したが、記憶装置１０３に記憶保持されている高機能携帯電話端末１の動作履歴をも取得して、これをも考慮して制御の内容を特定し、制御情報を形成することもできる。
【００６４】
そして、制御部１０２は、追加、変更、削除された項目ごとに形成した制御情報を含む確認画面を形成する（ステップＳ１０６）。この後、制御部１０２は、ステップＳ１０６で形成した確認画面を順次に表示すると共に、表示した確認画面に対するユーザーからの操作入力を受け付ける処理を行う（ステップＳ１０７）。このように、確認画面を順次に表示し、操作入力を受け付けるのは、追加、変更、削除の対象となった項目（スケジュール）が１つだけでなく、追加、変更、削除の対象となった項目が複数の場合もあるからである。
【００６５】
図５は、ステップＳ１０７で表示される設定情報の確認画面の一例を説明するための図である。例えば、スケジュールに追加が生じた場合には、図５（Ａ）に示すように、スケジュールが追加された旨のメッセージと追加されたスケジュールの概要、これに伴い自動的に制御される内容からなる確認画面が表示され、その変更、削除ができる。図５（Ａ）は、月曜日から金曜日までは午前６時２０分に自宅で起床する生活パターン（スケジュール）が登録された場合の例である。制御内容としては、月曜日から金曜日の午前６時２０分に、動作モードが「通常モード」となって、音量が「大」となり、「天気アプリ」と「電車アプリ」が順次に起動され、アラームも「オン」となって鳴動するようになっている。
【００６６】
また、スケジュールに変更が生じた場合には、図５（Ｂ）に示すように、スケジュールが変更された旨のメッセージと変更されたスケジュールの概要、これに伴い自動的に制御するようにされる内容からなる確認画面が表示され、その変更、削除ができる。図５（Ｂ）は、月曜日から金曜日までは午前７時２０分に電車で通勤する生活パターン（スケジュール）に変更された場合の例である。制御内容としては、月曜日から金曜日の午前７時２０分に、動作モードが「マナーモード」となって、「音楽再生アプリ」が起動されるようになっている。
【００６７】
また、スケジュールに削除が生じた場合には、図５（Ｃ）に示すように、スケジュールが削除された旨のメッセージと削除されたスケジュールの概要、これに伴い削除される制御の内容からなる確認画面が表示され、その確認ができる。図５（Ｃ）は、２０１３年２月１２日〜２０１３年２月１５日までの福岡出張のスケジュールが削除された場合の例である。そして、２０１３年２月１２の午前９時５分に動作モードが「機内モード」になる制御と、２０１３年２月１５の午後２時５０分に動作モードが「機内モード」になる制御とが中止されたことが示されている。
【００６８】
このような確認画面に対して、ユーザーはタッチパネル１０９を通じて操作入力を行うことができる。具体的には、追加、変更された項目（スケジュール）についての確認画面（図５（Ａ）、（Ｂ））においては、変更したい情報にカーソルを位置付けると、例えば選択可能な情報からなるプルダウンメニューやプルアップメニューなどが表示される。そして、当該メニューに含まれる他の情報に変更できる。そして、表示部１０８の下端側の「削除」ボタンが操作されたときには、表示された制御情報は削除の対象とされ、また、「ＯＫ」ボタンが操作されたときには、表示された制御情報が制御情報記憶部１１４への設定対象（追加対象または変更対象）とされる。また、削除された項目（スケジュール）についての確認画面図（５（Ｃ））においては、「ＯＫ」ボタンが操作されることにより、表示された制御情報が制御情報記憶部１１４からの削除対象とされる。
【００６９】
そして、制御部１０２は、追加、変更、削除の対象になった全ての項目（スケジュール）について、確認画面の表示と入力受け付けとが終了したか否かを判別する（ステップＳ１０８）。ステップＳ１０８の判別処理において、追加、変更、削除の対象になった全ての項目（スケジュール）について終了していないと判別したときには、制御部１０２は、ステップＳ１０７からの処理を繰り返す。また、ステップＳ１０８の判別処理において、追加、変更、削除の対象になった全ての項目（スケジュール）について終了したと判別したときには、ステップＳ１０７の処理を通じて確認した制御情報の更新処理を行う（ステップＳ１０９）。
【００７０】
具体的にステップＳ１０９の処理では、制御情報に基づいて、制御情報記憶部１１４の制御情報（設定情報）の更新処理が行われる。なお、図５（Ａ）、（Ｂ）において、「削除」ボタンが操作された場合には、表示された制御の内容に応じた制御情報が、制御情報記憶部１１４には更新されることはない。そして、ステップＳ１０９において、追加対象の制御情報は、図３を用いて説明した態様で制御情報記憶部１１４に追加記録される。また、変更対象の制御情報は、制御情報記憶部１１４の対応する制御情報を、今回形成した変更対象の制御情報に置き換える。また、削除対象の制御情報は、制御情報記憶部１１４から削除される。このようにして、スケジュール情報を構成する項目であって、追加、変更、削除された各項目に対応する制御情報により制御情報記憶部１１４の情報が更新される。
【００７１】
このように、この実施の形態の高機能携帯電話端末１は、ユーザーのスケジュール情報の追加、変更、削除に伴って、ユーザーのスケジュール情報に応じた制御情報が自動的に形成され、これが図３を用いて説明したように制御情報記憶部１１４に設定される。制御情報記憶部１１４に設定される記憶情報は、制御部１０２の制御の下、主に変化項目判別部１１２と制御情報設定部１１３の機能により行われる。そして、制御情報記憶部１１４に設定された制御情報に基づいて、動作モードの変更、種々の設定の変更、アプリの起動などの総合的な制御が行われる。
【００７２】
［高機能携帯電話端末１のスケジュール連動制御処理］
次に、この実施の形態の高機能携帯電話端末１において行われる、ユーザーのスケジュールに連動して自機の総合的な制御を行うスケジュール連動制御処理について具体的に説明する。図６は、高機能携帯電話端末１で実行されるスケジュール連動制御処理を説明するためのフローチャートである。図６に示す処理は、所定のタイミングごとに高機能携帯電話端末１の制御部１０２において実行される。
【００７３】
図６に示す処理が実行されると、まず、制御部１０２の制御の下、スケジュール連動制御部１１５が、制御情報記憶部１１４に設定（記憶保持）されている制御情報を参照する（ステップＳ２０１）。そして、スケジュール連動制御部１１５は、制御の開始時刻が到来したものがあるか否かを判別する（ステップＳ２０２）。ステップＳ２０２の判別処理において、制御の開始時刻が到来した制御情報があると判別したときには、スケジュール連動制御部１１５は、その制御情報に応じて、関係する各部を制御し、動作モード、設定、起動アプリ等を総合的に制御する処理を実行する（ステップＳ２０３）。
【００７４】
ステップＳ２０２の判別処理において、制御の開始時刻が到来した制御情報はないと判別したときと、ステップＳ２０３の処理の後においては、制御部１０２は図６に示す処理を終了し、次の実行タイミングを待つことになる。
【００７５】
このように、この実施の形態の高機能携帯電話端末１は、図３を用いて説明した制御情報記憶部１１４に設定される制御情報に応じて、動作モードの変更、種々の設定の変更、アプリの起動などの総合的な制御を行う。
【００７６】
［実施の形態の効果］
この実施の形態の高機能携帯電話端末１では、ユーザーの日々の生活パターンや随時に発生するイベントを合わせたユーザーの総合的なスケジュールに応じて、高機能携帯電話端末１の動作モード、種々の設定、起動アプリなどを総合的に制御できる。しかも、当該総合的な制御のために、ユーザーが特に手を煩わせることなく、総合的な制御のための制御情報を自動的に形成し、これを利用できる。
【００７７】
また、従来の問題点として、天気案内、路線情報（電車の遅延情報など）、クーポンなどが、ユーザーのスケジュールに合わされずに送信されているため、例えば、重要な会議中に、それらの情報が受信され、着信通知が行われるといった問題もあった。しかし、この実施の形態の高機能携帯電話端末１の場合、ユーザーは自己のスケジュール情報をサーバー装置３に適切に登録しておくだけで、動作モード、設定、起動アプリなどを総合的に制御できる。これにより、着信通知を行わせたくないシチュエーションにおいて、自動的に着信通知が行われることがないようにできる。換言すれば、ユーザーは自己のスケジュール情報をサーバー装置３に適切に登録しておくだけで、それに合わせた情報やサービスの提供を受けられる。
【００７８】
［変形例など］
上述した実施の形態では、ユーザーのスケジュール情報をネットワーク２上のスケジュール管理サーバー装置３で管理するものとしたが、これに限るものではない。ユーザーのスケジュール情報は、高機能携帯電話端末１の記憶装置１０３など高機能携帯電話端末１に搭載されたメモリで管理することもできる。この場合、スケジュール情報の参照先が変わるだけで、高機能携帯電話端末１における処理が大きく変わることはない。
【００７９】
また、上述もしたように、制御情報設定部１１３は、ユーザーのスケジュール情報を構成する追加、変更された項目（スケジュール）の時間、場所、場合に加えて、ユーザーの個人属性や高機能携帯電話端末１の動作履歴をも考慮できる。これにより、高機能携帯電話端末１のユーザーにより適した制御の内容を特定し、当該制御の内容に応じた制御情報を形成して設定し、総合的な制御を行える。
【００８０】
さらに、制御開始時刻における場所や時間（時間帯など）を考慮して、制御内容を変更することもできる。例えば、制御開始時刻において、スケジュール情報で特定される場所に位置していない場合には、予定している制御を行わないようにしたり、予定されている制御を実行してよいかどうかのメッセージを表示して確認を求めたりできる。当該確認に際しては、現在時刻が周囲の明るい昼間の時間帯であれば表示画面の輝度を上げ、周囲の暗い夜間の時間帯であれば輝度を下げるといった制御を行うことができる。
【００８１】
同様に、音量についても、現在時刻が周囲に種々の音がする昼間の時間帯であれば音量を上げ、周囲が静かな夜間の時間帯であれば音量を下げるといった制御を行うことができる。もちろん、制御情報に応じた制御を行う場合であっても、例えば、起床時刻において、「おやすみモード」から「通常モード」に遷移させる場合に、画面の明るさを上げる（輝度を上げる）といった制御も可能である。
【００８２】
このように、制御開始時点における場所や時間に応じて、制御情報に応じて行うべき制御の内容を変えられる。なお、現在位置は、ＧＰＳ部１０７を通じて測位が可能である。また、輝度を下げたり、上げたりする場合には、直前の輝度を確認し、輝度を下げる場合には、既定値よりも輝度が高い場合に下げ、輝度を上げる場合には、既定値より輝度が低い場合に上げるといった制御ができる。音量についても同様に、直前の音量を確認し、音量を下げる場合には、既定値よりも音量が高い場合に下げ、音量を上げる場合には、既定値より音量が低い場合に上げるといった制御ができる。
【００８３】
また、制御開始時刻において、高機能携帯電話端末１で既に他の機能が用いられている場合などにおいても、予定している制御を行わないようにしたり、予定されている制御を実行してよいかどうかのメッセージを表示して確認を求めたりできる。例えば、通勤時に電車に乗った場合に、既にＳＮＳアプリを起動させている場合に、予定されている制御として音楽アプリを起動させる制御情報が存在していたとする。この場合には、音楽アプリを起動させる制御を中止したり、音楽アプリを起動させるか否かの確認メッセージを表示したり、アラーム音を鳴らしたりできる。
【００８４】
また、制御開始時の実際の位置とその時点に動作している機能の一方あるいは両方を考慮して、制御情報に応じた制御とは異なる制御を行うようにすることもできる。例えば、就寝時刻になったので、「おやすみモード」に遷移させようとした場合に、メールプログラムが実行されていたとする。この場合には、まず、画面の明るさを下げ（輝度を下げ）、当該メールプログラムが終了した後に、「おやすみモード」に切り替えるようにするなどのことができる。
【００８５】
このように、この実施の形態の高機能携帯電話端末１は、ユーザーのスケジュール情報から把握できる、時間、場所、場合だけでなく、ユーザーの個人属性と高機能携帯電話端末の動作履歴との一方あるいは両方を考慮して、制御内容を特定できる。また、実際に制御を行う場合には、制御時の高機能携帯電話端末の場所（位置）、時間（時間帯）、さらには、制御時の高機能携帯電話端末１の状態の１つ以上を考慮して、制御の内容を変更することもできる。
【００８６】
また、自動的に設定された制御情報にしたがってアプリを起動させた場合であって、操作部１０４やタッチパネル１０９を通じて所定時間操作が行われなかった場合には、当該アプリを終了させる対応を取ることもできる。また、センサ部１０６からの検出出力に基づいて、高機能携帯電話端末１の姿勢が変化したか否かを考慮して、当該アプリを終了させるか否かを決めてもよい。このようにすることによって、突然にスケジュールが変更になった場合であっても、無駄にアプリを起動させておくことがないようにできる。
【００８７】
また、上述の実施の形態の高機能携帯電話端末１では、ユーザーのスケジュール情報を保守した場合やユーザーが自己のスケジュール情報の参照時に、スケジュールが追加、変更、削除されていた場合に、制御情報の追加、変更、削除を行うようにした。しかし、これに限るものではない。制御情報の追加、変更、削除は、ユーザーの指示タイミングや予め決められたタイミングで行うようにすることもできる。
【００８８】
また、上述した実施の形態では、図５を用いて、スケジュール情報の追加、変更、削除に応じた内容などを表示部１０８に表示して、ユーザーによる変更や削除を可能にしたが、これに限るものではない。制御情報設定部１１３による制御情報の設定処理は、ユーザーに情報の提供や確認を求めることなく実行する。そして、設定された制御情報に応じた制御を行う場合に、当該制御を行ってよいか否かを確認し、行ってよい場合にのみ、当該制御情報に応じた総合的な制御を行うこともできる。
【００８９】
なお、制御情報についての確認を、当該制御情報を用いた制御を実行する前のいずれかのタイミングで行うことにより、スケジュール情報の保守時の入力ミスにも対応できる。また、ユーザーは、適切に自己のスケジュール情報を保守し、正確に保つことにより、高機能携帯電話端末１における適切な制御を自動的に行える。
【００９０】
また、図３を用いて説明したように、制御情報記憶部１１４にＴＰＯに応じて制御内容を設定する際には、各ＴＰＯの制御内容についてデフォルト値を持つようにしてもよい。例えば、電車内（電車に乗車中）の場合には、「マナーモード」をデフォルトで設定するが、これをユーザーによって変更も可能にする。このようにしておけば、例えば、列車の個室を利用して出張する予定がある場合に、デフォルトでは「マナーモード」に設定されるが、これをユーザーが変更し、「通常モード」とすることが可能となる。そして、デフォルトの内容でよい場合には変更操作も必要ないので、ユーザーに応じた制御情報の設定を簡単かつ確実に行うことができる。
【００９１】
また、制御情報記憶部１１４の制御情報のユーザーによる設定パターンを学習して、制御情報の設定や変更のための入力操作時において、入力支援を行う機能も実現できる。例えば、それまでの制御情報の設定処理についての履歴情報から、ユーザーの所在位置（場所）が電車内である場合に「音楽アプリ」を起動させる設定が多いことが明らかになったとする。この場合に、制御情報記憶部１１４の制御情報の設定処理を実行すると、例えば制御部１０２の機能により、ユーザーが電車内にいる場合に起動するアプリを自動的に「音楽アプリ」に設定する。そして、自動的に設定された制御内容については、必要に応じてユーザーが変更できるようにしておけば不都合を生じることもなく、制御情報の設定、変更を効率よく行える。
【００９２】
［その他］
上述した実施の形態の説明からも分かるように、判別手段の機能は、高機能携帯電話端末１の変化項目判別部１１２と制御情報設定部１１３とが協働して実現し、設定手段の機能は、主に高機能携帯電話端末１の制御情報設定部１１３が実現している。また、スケジュール連動制御手段の機能は、高機能携帯電話端末１のスケジュール連動制御部１１５が実現している。
【００９３】
また、図４、図６に示した処理を行なう方法が、この発明の携帯通信端末の動作制御方法に対応している。また、図４、図６に示した処理を実行するプログラムを形成し、携帯電話端末、高機能携帯電話端末、タブレットＰＣなどに実行可能なように搭載することによって、この発明の携帯通信端末を実現できる。また、変化項目判別部１１２、制御情報設定部１１３、スケジュール連動制御部１１５の各機能は、制御部１０２で実行されるソフトウェアによって制御部１０２の機能として実現することもできる。
【符号の説明】
【００９４】
１…高機能携帯電話端末、１０１…無線通信部、１０１Ａ…送受信アンテナ、１０２…制御部、１０３…記憶装置、１０４…操作部、１０５…時間制御部、１０６…センサ部、１０７…ＧＰＳ部、１０７Ａ…ＧＰＳアンテナ、１０８…表示部、１０９…タッチパネル、１１０…音声出力部、１１１…スピーカ、１１２…変化項目判別部、１１３…制御情報設定部、１１４…制御情報記憶部、１１５…スケジュール連動制御部、２…ネットワーク、３…スケジュール管理サーバー装置
【図１】
2014175682.tif 000003
【図２】
2014175682.tif 000004
【図３】
2014175682.tif 000005
【図４】
2014175682.tif 000006
【図５】
2014175682.tif 000007
【図６】
2014175682.tif 000008